(57)【要約】    【課題】  優れた動画表示特性及び均一な面内表示特性を有し、製造コストが高くなったり消費電力が高くなったりすることのないプロジェクタを提供する。    【解決手段】  液晶装置と、投写光学系と、ｙ軸方向に圧縮された断面形状を有する照明光束を射出する照明装置と、一定速度で回転して、照明装置からの照明光束を、液晶装置の画像形成領域におけるｙ軸方向に沿って走査する回転プリズム７７０とを備えるプロジェクタであって、照明装置１００は、偏光変換素子の光入射面側に配置される移動遮光部材７０２を有し、移動遮光部材７０２は、偏光変換素子の偏光分離層に対応する開口部を有し、照明光束の走査速度が液晶装置における画像形成領域上で変化することに起因して発生する照度差を軽減するように、照明光束の画像形成領域上の位置に応じて、ｘ軸方向に沿って移動し光量調整が可能であることを特徴とするプロジェクタ。【選択図】  図１
2006259504.tif 000002
【特許請求の範囲】
【請求項１】
照明光束を画像情報に応じて変調する電気光学変調装置と、
前記電気光学変調装置により変調された照明光束を投写する投写光学系と、
前記電気光学変調装置の画像形成領域における一方方向については画像形成領域の全体を、他方方向については画像形成領域の一部を照明するような、前記他方方向に圧縮された断面形状を有する照明光束を射出する照明装置と、
一定速度で回転して、前記照明装置からの照明光束を、前記電気光学変調装置の画像形成領域における前記他方方向に沿って走査する回転プリズムとを備えるプロジェクタであって、
前記照明装置は、被照明領域側に照明光束を射出する光源装置と、前記光源装置から射出される照明光束を複数の部分光束に分割するための複数の第１小レンズを有する第１レンズアレイと、前記第１レンズアレイの前記複数の第１小レンズに対応する複数の第２小レンズを有する第２レンズアレイと、前記第２レンズアレイの前記複数の第２小レンズから射出される各部分光束を略１種類の直線偏光成分を有する光束に変換する偏光変換素子と、前記偏光変換素子から射出される各部分光束を被照明領域で重畳させるための重畳レンズと、前記偏光変換素子の光入射面側に配置される移動遮光部材とを有し、
前記第１小レンズは、前記他方方向に圧縮された平面形状を有し、
前記偏光変換素子は、前記第２レンズアレイから射出される部分光束に含まれる偏光成分のうち一方の直線偏光成分をそのまま透過し他方の直線偏光成分を照明光軸に垂直な方向に反射する偏光分離層と、前記偏光分離層で反射された他方の直線偏光成分を前記照明光軸に平行な方向に反射する反射層と、前記偏光分離層を透過した一方の直線偏光成分と前記反射層で反射された他方の直線偏光成分とをいずれか一方の直線偏光成分に揃えるように偏光変換する位相差板とを有し、
前記移動遮光部材は、前記偏光変換素子の前記偏光分離層に対応する開口部を有し、前記照明光束の走査速度が前記電気光学変調装置における画像形成領域上で変化することに起因して発生する照度差を軽減するように、前記照明光束の前記画像形成領域上の位置に応じて、前記一方方向に沿って移動し光量調整が可能であることを特徴とするプロジェクタ。
【請求項２】
請求項１に記載のプロジェクタにおいて、
前記照明装置は、前記移動遮光部材を前記一方方向に沿って移動させるモータ及び前記モータの駆動を制御するモータ制御回路をさらに有することを特徴とするプロジェクタ。
【請求項３】
請求項２に記載のプロジェクタにおいて、
前記回転プリズムの回転状態を検知する回転状態検知センサをさらに備え、
前記モータ制御回路は、前記回転状態検知センサの出力信号に基づいて、前記モータの駆動を制御することを特徴とするプロジェクタ。
【請求項４】
請求項２に記載のプロジェクタにおいて、
画像情報の処理を行う画像処理回路をさらに備え、
前記回転プリズムは、前記画像処理回路からの同期信号に基づいて、一定の速度で回転するように構成され、
前記モータ制御回路は、前記画像処理回路からの同期信号に基づいて、前記モータの駆動を制御することを特徴とするプロジェクタ。
【請求項５】
請求項１〜４のいずれかに記載のプロジェクタにおいて、
前記移動遮光部材は、前記第２レンズアレイと前記偏光変換素子との間に配置されていることを特徴とするプロジェクタ。
【請求項６】
請求項１〜５のいずれかに記載のプロジェクタにおいて、
前記移動遮光部材は、光反射型の遮光部材であることを特徴とするプロジェクタ。
【請求項７】
請求項１〜６のいずれかに記載のプロジェクタにおいて、
前記照明装置は、前記第２レンズアレイと前記偏光変換素子との間に配置され、前記偏光変換素子の前記反射層に入射する照明光束を遮光するための固定遮光部材をさらに有することを特徴とするプロジェクタ。
【請求項８】
請求項１〜７のいずれかに記載のプロジェクタにおいて、
前記照明光束の断面形状を整形するための光整形部材をさらに備え、
前記光整形部材は、前記電気光学変調装置の画像形成領域と光学的に略共役な位置に配置されていることを特徴とするプロジェクタ。
【発明の詳細な説明】
【技術分野】
【０００１】
本発明は、プロジェクタに関する。 
【背景技術】
【０００２】
液晶装置の画像形成領域上で照明光束を走査することにより動画表示特性を改善したプロジェクタが知られている（例えば、特許文献１参照。）。
【０００３】
図２１は、このような従来のプロジェクタ９００を説明するために示す図である。図２１（ａ）は従来のプロジェクタ９００の光学系を示す図であり、図２１（ｂ）は回転プリズム９６０の作用を説明するために示す図であり、図２１（ｃ）は回転プリズム９６０を回転させることによって液晶装置９７０の画像形成領域上で照明光束が走査される様子を示す図である。
図２２は、従来のプロジェクタ９００における回転プリズム９６０の回転速度を示す図である。
【０００４】
従来のプロジェクタ９００においては、図２１に示すように、回転プリズム９６０を回転させることによって、液晶装置９７０の画像形成領域上で照明光束Ｌが走査される。このため、従来のプロジェクタ９００によれば、液晶装置９７０の画像形成領域におけるいずれの点に着目しても間欠的に光が遮断されるようになるため、動画表示特性が改善され、優れた動画表示特性を有するようになる。
【０００５】
また、従来のプロジェクタ９００においては、図２２に示すように、回転プリズム９６０の回転速度を変化させることによって、液晶装置９７０の画像形成領域上で照明光束Ｌが等速度で走査されるようになる。このため、従来のプロジェクタ９００によれば、液晶装置９７０の画像形成領域における照度差が軽減されるようになり、投写面全面でより均一な表示を行うことが可能になる。すなわち、均一な面内表示特性を有するようになる。
【０００６】
【特許文献１】特開２００４−３２５５７７号公報
【発明の開示】
【発明が解決しようとする課題】
【０００７】
しかしながら、回転プリズム９６０は通常光学ガラスなどからなり大きな重量をもつ。また、従来のプロジェクタ９００においては、回転プリズムの回転速度を極めて短い周期で精度良く変化させることが必要である。このため、回転プリズムを駆動するためのモータとして高価なモータを用いる必要が生じ、製造コストが高くなってしまうという問題があった。また、回転プリズムを駆動するためのモータの回転速度を頻繁に加速及び減速する必要が生じ、消費電力が高くなってしまうという問題があった。
【０００８】
そこで、本発明は、このような問題を解決するためになされたもので、優れた動画表示特性及び均一な面内表示特性を有するとともに、製造コストが高くなったり消費電力が高くなったりすることのないプロジェクタを提供することを目的とする。
【課題を解決するための手段】
【０００９】
本発明のプロジェクタは、照明光束を画像情報に応じて変調する電気光学変調装置と、前記電気光学変調装置により変調された照明光束を投写する投写光学系と、前記電気光学変調装置の画像形成領域における一方方向については画像形成領域の全体を、他方方向については画像形成領域の一部を照明するような、前記他方方向に圧縮された断面形状を有する照明光束を射出する照明装置と、一定速度で回転して、前記照明装置からの照明光束を、前記電気光学変調装置の画像形成領域における前記他方方向に沿って走査する回転プリズムとを備えるプロジェクタであって、前記照明装置は、被照明領域側に照明光束を射出する光源装置と、前記光源装置から射出される照明光束を複数の部分光束に分割するための複数の第１小レンズを有する第１レンズアレイと、前記第１レンズアレイの前記複数の第１小レンズに対応する複数の第２小レンズを有する第２レンズアレイと、前記第２レンズアレイの前記複数の第２小レンズから射出される各部分光束を略１種類の直線偏光成分を有する光束に変換する偏光変換素子と、前記偏光変換素子から射出される各部分光束を被照明領域で重畳させるための重畳レンズと、前記偏光変換素子の光入射面側に配置される移動遮光部材とを有し、前記第１小レンズは、前記他方方向に圧縮された平面形状を有し、前記偏光変換素子は、前記第２レンズアレイから射出される部分光束に含まれる偏光成分のうち一方の直線偏光成分をそのまま透過し他方の直線偏光成分を照明光軸に垂直な方向に反射する偏光分離層と、前記偏光分離層で反射された他方の直線偏光成分を前記照明光軸に平行な方向に反射する反射層と、前記偏光分離層を透過した一方の直線偏光成分と前記反射層で反射された他方の直線偏光成分とをいずれか一方の直線偏光成分に揃えるように偏光変換する位相差板とを有し、前記移動遮光部材は、前記偏光変換素子の前記偏光分離層に対応する開口部を有し、前記照明光束の走査速度が前記電気光学変調装置における画像形成領域上で変化することに起因して発生する照度差を軽減するように、前記照明光束の前記画像形成領域上の位置に応じて、前記一方方向に沿って移動し光量調整が可能であることを特徴とする。
【００１０】
このため、本発明のプロジェクタによれば、回転プリズムを回転させることにより、電気光学変調装置の画像形成領域上で照明光束が走査されるようになる。その結果、電気光学変調装置の画像形成領域におけるいずれの点に着目しても間欠的に光が遮断されるようになるため、動画表示特性が改善され、優れた動画表示特性を有するようになる。
【００１１】
また、本発明のプロジェクタによれば、上記した移動遮光部材の移動を制御することによって、電気光学変調装置の画像形成領域に照射される照明光束の光量を調整することが可能になるため、照明光束の走査速度が電気光学変調装置における画像形成領域上で変化することに起因して発生する照度差を軽減することが可能になる。
このため、本発明のプロジェクタによれば、回転プリズムを一定の回転速度で回転させた場合に発生する照度差（液晶装置の画像形成領域における他方方向両端部における照明光束の走査速度が、他方方向中央部における照明光束の走査速度よりも早くなるため、液晶装置の画像形成領域における他方方向両端部における照度が他方方向中央部における照度よりも低くなる。）が軽減されるようになり、投写面全面でより均一な表示を行うことが可能になる。すなわち、均一な面内表示特性を有するようになる。
この場合、照明光束が電気光学変調装置の画像形成領域における他方方向中央部を通過するときには、一方方向に沿った移動遮光部材の位置を初期位置から比較的大きく移動させて照明光束の一部を遮蔽するとともに、照明光束が電気光学変調装置の画像形成領域における他方方向両端部を通過するときには、一方方向に沿った移動遮光部材の位置を初期位置に揃えて全ての照明光束を通過させるような制御が行われることになる。
【００１２】
また、本発明のプロジェクタにおいては、上記のような照度差を軽減させるための手段として、光学ガラスなどからなり重量の大きな回転プリズムの回転速度を変化させる手段を用いる代わりに、比較的軽量な移動遮光部材の移動を制御する手段を用いているため、回転プリズムを駆動するためのモータとして高価なモータを用いる必要がなくなり、回転プリズムの回転速度を加速及び減速する際に使用する消費エネルギーも低いものになる。
その一方で、本発明のプロジェクタにおいては、上記のような照度差を軽減させるために移動遮光部材の移動を制御するための手段が新たに必要になるが、移動遮光部材は比較的軽量であるため、移動遮光部材の移動を制御するための手段としては高価な手段を用いる必要もないし、移動遮光部材の移動を制御するための手段を駆動する際に使用する消費電力も低いもので十分である。
このため、本発明のプロジェクタによれば、製造コストが高くなったり消費電力が高くなったりすることがなくなる。
【００１３】
このため、本発明のプロジェクタによれば、優れた動画表示特性及び均一な面内表示特性を有し、製造コストが高くなったり消費電力が高くなったりすることのないプロジェクタとなり、本発明の目的が達成される。
【００１４】
本発明のプロジェクタにおいては、前記照明装置は、前記移動遮光部材を前記一方方向に沿って移動させるモータ及び前記モータの駆動を制御するモータ制御回路をさらに有することが好ましい。
【００１５】
このように構成することにより、移動遮光部材の移動を、上記のような照度差を軽減するように正確に制御することができる。
モータとしては、移動遮光部材の加速及び減速を高速に行うことが可能なモータであることが必要であるが、このようなモータとして、超音波モータやガルバノモータ（ガルバノミラーやガルバノスキャナに用いられるモータ）を好ましく用いることができる。
【００１６】
本発明のプロジェクタにおいては、前記回転プリズムの回転状態を検知する回転状態検知センサをさらに備え、前記モータ制御回路は、前記回転状態検知センサの出力信号に基づいて、前記モータの駆動を制御することが好ましい。
【００１７】
このように構成することにより、回転プリズムの回転状態に対応した正確な制御を行うことが可能になるため、照明光束の走査速度が電気光学変調装置における画像形成領域上で変化することに起因して発生する照度差を効果的に軽減することが可能になる。
【００１８】
本発明のプロジェクタにおいては、画像情報の処理を行う画像処理回路をさらに備え、前記回転プリズムは、前記画像処理回路からの同期信号に基づいて、一定の速度で回転するように構成され、前記モータ制御回路は、前記画像処理回路からの同期信号に基づいて、前記モータの駆動を制御することが好ましい。
【００１９】
回転プリズムの回転は、画像処理回路からの同期信号に基づいて行われる。このため、上記のように構成することによっても、回転プリズムの回転状態に対応した正確な制御を行うことが可能になるため、照明光束の走査速度が電気光学変調装置における画像形成領域上で変化することに起因して発生する照度差を効果的に軽減することが可能になる。
【００２０】
本発明のプロジェクタにおいては、前記移動遮光部材は、前記第２レンズアレイと前記偏光変換素子との間に配置されていることが好ましい。
【００２１】
このように構成することにより、偏光変換素子上で形成されるアーク像により近い位置で移動遮光部材を一方方向に沿って移動することができるようになるため、個々のアーク像に対して遮光することができ、照明光束の光量を精度良く、かつ、照明ムラを生じさせることなく制御することができるようになる。
【００２２】
本発明のプロジェクタにおいては、前記移動遮光部材は、光反射型の遮光部材であることが好ましい。
【００２３】
このように構成することにより、移動遮光部材において遮蔽された照明光束は反射されるため、移動遮光部材における熱の発生が抑制される。前記移動遮光部材は、金属板からなることが好ましい。
【００２４】
本発明のプロジェクタにおいては、前記照明装置は、前記第２レンズアレイと前記偏光変換素子との間に配置され、前記偏光変換素子の前記反射層に入射する照明光束を遮光するための固定遮光部材をさらに有することが好ましい。
【００２５】
このように構成することにより、移動遮光部材が初期位置から偏倚している場合にも、固定遮光部材が配置されていることによって、第２レンズアレイから射出される部分光束が偏光変換素子の反射層に入射してしまうことを確実に防止することができ、迷光の発生を抑制することができる。
【００２６】
この場合、前記固定遮光部材は、光反射型の遮光部材であることが好ましい。これにより、固定遮光部材において遮蔽された照明光束は系外に反射されるため、固定遮光部材における熱の発生が抑制される。前記固定遮光部材は、金属板からなることが好ましい。
【００２７】
本発明のプロジェクタにおいては、前記照明光束の断面形状を整形するための光整形部材をさらに備え、前記光整形部材は、前記電気光学変調装置の画像形成領域と光学的に略共役な位置に配置されていることが好ましい。
【００２８】
このように構成することにより、上記した光整形部材の働きによって、電気光学変調装置の画像形成領域に照射する照明光束の断面形状を所定の断面形状に正しく整形することが可能になる。
【００２９】
本発明のプロジェクタにおいては、前記回転プリズムは、前記電気光学変調装置の画像形成領域と光学的に略共役な位置に配置されていることが好ましい。
【００３０】
このように構成することによっても、優れた動画表示特性及び均一な面内表示特性を有し、製造コストが高くなったり消費電力が高くなったりすることのないプロジェクタを構成することが可能となる。
【００３１】
本発明のプロジェクタにおいては、前記光源装置は、発光管、前記発光管からの光を反射する楕円面リフレクタ及び前記楕円面リフレクタで反射される光を略平行光にする平行化レンズを有する光源装置又は発光管及び前記発光管からの光を略平行光として反射する放物面リフレクタを有する光源装置であることが好ましい。
【００３２】
このように構成することにより、前者の場合には、放物面リフレクタを用いた光源装置と比較して、よりコンパクトな光源装置を実現することができる。後者の場合には、平行化レンズを用いることなく略平行な照明光束を得ることができるため、平行化レンズを必要とする楕円面リフレクタを用いた光源装置と比較して、部品点数の少ない光源装置を実現することができる。
【００３３】
本発明のプロジェクタにおいては、前記発光管には、前記発光管から被照明領域側に射出される光を前記発光管に向けて反射する補助ミラーが設けられていることが好ましい。
【００３４】
このように構成することにより、発光管から被照明領域側に放射される光が発光管に向けて反射されるため、発光管の被照明領域側端部を覆うような大きさに楕円面リフレクタ又は放物面リフレクタの大きさを設定することを必要とせず、楕円面リフレクタ又は放物面リフレクタの小型化を図ることができ、プロジェクタの小型化を図ることができる。また、このことは、第１レンズアレイの大きさ、第２レンズアレイの大きさ、重畳レンズの大きさ、色分離導光光学系の大きさなどをさらに小さくすることができることをも意味し、プロジェクタのさらなる小型化を図ることができる。
【００３５】
本発明のプロジェクタにおいては、前記電気光学変調装置は、液晶装置であることが好ましい。
【００３６】
このように構成することにより、偏光変換素子の機能によって略１種類の偏光光を射出するような構成の照明装置を用いたプロジェクタにおいて、特に好適なものとなる。
【００３７】
本発明のプロジェクタにおいては、前記電気光学変調装置として、複数の色光をそれぞれの色光に対応する画像情報に応じて変調する複数の電気光学変調装置を備え、前記回転プリズムと前記複数の電気光学変調装置との間に配置され、前記回転プリズムからの照明光束を複数の色光に分離して前記複数の電気光学変調装置に導くための色分離導光光学系と、前記複数の電気光学変調装置で変調されたそれぞれの色光を合成するクロスダイクロイックプリズムとをさらに備えることが好ましい。
【００３８】
このように構成することにより、優れた動画表示特性及び均一な面内表示特性を有するとともに、製造コストが高くなったり消費電力が高くなったりすることのないプロジェクタを、画像品質の優れた（例えば３板式の）フルカラープロジェクタとすることができるようになる。
【発明を実施するための最良の形態】
【００３９】
以下、本発明のプロジェクタについて、図に示す実施の形態に基づいて説明する。
【００４０】
〔実施形態１〕
まず、実施形態１に係るプロジェクタ１０００について、図１を用いて説明する。
図１は、実施形態１に係るプロジェクタ１０００を説明するために示す図である。図１（ａ）はプロジェクタ１０００の光学系を上面から見た図であり、図１（ｂ）はプロジェクタ１０００の光学系を側面から見た図であり、図１（ｃ）は第１レンズアレイ１２０の正面図であり、図１（ｄ）は遮光部材７８０上における照明状態を示す図であり、図１（ｅ）は液晶装置４００Ｒ上における照明状態を示す図である。
なお、以下の説明においては、互いに直交する３つの方向をそれぞれｚ軸方向（図１（ａ）における照明光軸１００ａｘ方向）、ｘ軸方向（図１（ａ）における紙面に平行かつｚ軸に直交する方向）及びｙ軸方向（図１（ａ）における紙面に垂直かつｚ軸に直交する方向）とする。
【００４１】
実施形態１に係るプロジェクタ１０００は、図１（ａ）及び図１（ｂ）に示すように、照明装置１００と、照明装置１００からの照明光束を赤色光、緑色光及び青色光の３つの色光に分離して被照明領域に導光する色分離導光光学系２００と、色分離導光光学系２００で分離された３つの色光のそれぞれを画像情報に応じて変調する電気光学変調装置としての３つの液晶装置４００Ｒ，４００Ｇ，４００Ｂと、これら３つの液晶装置４００Ｒ，４００Ｇ，４００Ｂによって変調された色光を合成するクロスダイクロイックプリズム５００と、クロスダイクロイックプリズム５００によって合成された光をスクリーンＳＣＲ等の投写面に投写する投写光学系６００とを備えたプロジェクタである。
【００４２】
照明装置１００は、被照明領域側に略平行な照明光束を射出する光源装置１１０と、光源装置１１０から射出される照明光束を複数の部分光束に分割するための複数の第１小レンズ１２２を有する第１レンズアレイ１２０と、第１レンズアレイ１２０の複数の第１小レンズ１２２に対応する複数の第２小レンズ１３２（図示せず。）を有する第２レンズアレイ１３０と、光源装置１１０から射出される偏光方向の揃っていない照明光束を略１種類の直線偏光に揃える偏光変換素子１４０と、偏光変換素子１４０から射出される各部分光束を被照明領域で重畳させるための重畳レンズ１５０とを有している。また、照明装置１００は、第２レンズアレイ１３０と偏光変換素子１４０との間に配置された移動遮光部材７０２と、固定遮光部材７４０とをさらに有している。
なお、移動遮光部材７０２及び固定遮光部材７４０についての詳細は後述する。
【００４３】
光源装置１１０は、楕円面リフレクタ１１４と、楕円面リフレクタ１１４の第１焦点近傍に発光中心を有する発光管１１２と、楕円面リフレクタ１１４で反射される集束光を略平行な光に変換する平行化レンズ１１８とを有している。発光管１１２には、発光管１１２から被照明領域側に射出される光を発光管１１２に向けて反射する反射手段としての補助ミラー１１６が設けられている。
【００４４】
発光管１１２は、管球部と、管球部の両側に延びる一対の封止部とを有している。
楕円面リフレクタ１１４は、発光管１１２の一方の封止部に挿通・固着される筒状の首状部と、発光管１１２から放射された光を第２焦点位置に向けて反射する反射凹面とを有している。
【００４５】
補助ミラー１１６は、発光管１１２の管球部の略半分を覆い、楕円面リフレクタ１１４の反射凹面と対向して配置される反射部材であり、発光管１１２の他方の封止部に挿通・固着されている。
このような補助ミラー１１６を用いることにより、発光管１１２から楕円面リフレクタ１１４とは反対側（被照明領域側）に向かって放射される光が、補助ミラー１１６によって楕円面リフレクタ１１４に向けて反射され、さらに楕円面リフレクタ１１４の反射凹面で反射されて第２焦点位置に集束されることとなり、発光管１１２から楕円面リフレクタ１１４に向かって直接放射される光と同様に、楕円面リフレクタ１１４の第２焦点位置に集束させることができる。
【００４６】
平行化レンズ１１８は、凹レンズからなり、楕円面リフレクタ１１４の被照明領域側に配置されている。そして、楕円面リフレクタ１１４からの光を略平行化するように構成されている。
【００４７】
第１レンズアレイ１２０は、平行化レンズ１１８からの光を複数の部分光束に分割する光束分割光学素子としての機能を有し、照明光軸１００ａｘと直交する面内にマトリクス状に配列される複数の第１小レンズ１２２を備えた構成を有している。第１小レンズ１２２は、図１（ｃ）に示すように、横方向に４列、縦方向に１６行に配置され、「ｙ軸方向に沿った縦寸法：ｘ軸方向に沿った横寸法＝１：４の長方形」の平面形状を有している。
すなわち、第１レンズアレイ１２０における第１小レンズ１２２は、照明装置１００から射出される照明光束を、液晶装置４００Ｒ，４００Ｇ，４００Ｂの画像形成領域Ｓにおける縦横方向のうち、ｘ軸方向に沿った横方向については画像形成領域Ｓの全体を、ｙ軸方向に沿った縦方向についてはその画像形成領域Ｓの約５０％を照明するような断面形状を有する照明光束（図１（ｅ）参照。）とするように、縦方向に圧縮された「ｙ軸方向に沿った縦寸法：ｘ軸方向に沿った横寸法＝１：４の長方形」からなる平面形状を有している。
【００４８】
第２レンズアレイ１３０は、上述した第１レンズアレイ１２０により分割された複数の部分光束を集光する光学素子であり、第１レンズアレイ１２０と同様に照明光軸１００ａｘに直交する面内にマトリクス状に配列される複数の第２小レンズ１３２を備えた構成を有している。
【００４９】
なお、図１（ａ）（図２（ａ）についても同様。）に示す第１レンズアレイ１２０及び第２レンズアレイ１３０における各小レンズは、その偏心について捨象して示している。
【００５０】
第２レンズアレイ１３０から射出された各部分光束は、ランダムな偏光方向の光を１種類の直線偏光に揃える機能を有する偏光変換素子１４０の、偏光分離層１４２近傍に集光される。
【００５１】
図２は、偏光変換素子１４０を説明するために示す図である。図２（ａ）は第１レンズアレイ１２０から重畳レンズ１５０までの概略構成図であり、図２（ｂ）は偏光変換素子１４０の機能を説明するために示す図である。
偏光変換素子１４０は、図２（ａ）及び図２（ｂ）に示すように、照明光軸１００ａｘに対して傾斜配置される偏光分離層１４２及び反射層１４４を交互に配列した構成を有している。偏光分離層１４２は、ｓ偏光成分及びｐ偏光成分を含む非偏光光（ランダムな偏光方向を有する入射光）を、例えばｓ偏光光束及びｐ偏光光束に分離する。そして、偏光分離層１４２によって分離されたｓ偏光光束は、偏光分離層１４２によってほぼ垂直に反射され、反射層１４４によってさらに反射されて偏光変換素子１４０から射出される。一方、偏光分離層１４２によって分離されたｐ偏光光束は、偏光分離層１４２をそのまま透過する。偏光分離層１４２を透過したｐ偏光光束は、偏光変換素子１４０の光射出面に配設された位相差板１４６によって偏光変換され、ｓ偏光光束となって偏光変換素子１４０から射出される。従って、偏光変換素子１４０を通過した照明光束は、そのほとんどがｓ偏光光束となって射出されることとなる。なお、偏光変換素子１４０から射出される照明光束をｐ偏光光束としたい場合には、位相差板１４６を、反射層１４４によって反射されたｓ偏光光束が通過する光射出面に配設すればよい。
【００５２】
重畳レンズ１５０は、第１レンズアレイ１２０、第２レンズアレイ１３０及び偏光変換素子１４０を経た複数の部分光束を集光して液晶装置４００Ｒ，４００Ｇ，４００Ｂの画像形成領域Ｓ（図１（ｅ）参照。）上に重畳させる光学素子である。
【００５３】
上記のように構成された照明装置１００によって、光源装置１１０からの照明光束をより均一な強度分布を有する照明光束に変換し、被照明領域を均一な照度で照明することができる。また、液晶装置４００Ｒ，４００Ｇ，４００Ｂの画像形成領域Ｓにおける横方向（ｘ軸方向）については画像形成領域Ｓの全体を、縦方向（ｙ軸方向）については画像形成領域Ｓの一部を照明するような、縦方向（ｙ軸方向）に圧縮された断面形状を有する照明光束Ｌが射出される（図１（ｄ）参照。）。
【００５４】
照明装置１００と色分離導光光学系２００との間の、各第１小レンズ１２２及び液晶装置４００Ｒ，４００Ｇ，４００Ｂの画像形成領域Ｓと光学的に略共役な位置には、光整形部材７８０が配置されている。光整形部材７８０は、図１（ｄ）に示すように、「ｙ軸方向に沿った縦寸法：ｘ軸方向に沿った横寸法＝１：４の長方形」の平面形状を有する開口部７８２を有している。これにより、光整形部材７８０から射出される照明光束の断面形状を、液晶装置４００Ｒ，４００Ｇ，４００Ｂの画像形成領域Ｓに照射する照明光束Ｌの断面形状に正しく整形することが可能になる。
【００５５】
照明装置１００から射出された照明光束は、回転プリズム７７０に入射する。回転プリズム７７０は、照明装置１００と液晶装置４００Ｒ，４００Ｇ，４００Ｂとの間に配置され、液晶装置４００Ｒ，４００Ｇ，４００Ｂの画面書込み周波数に同期して画像形成領域Ｓ上で縦方向（ｙ軸方向）に沿って照明光束を走査する機能を有している。回転プリズム７７０の前後に配置されたフィールドレンズ７９０，７９２は、後述するリレーレンズ２４０，２４２に対して有効に光を入射させるために設けられている。
なお、回転プリズム７７０についての詳細は後述する。
【００５６】
色分離導光光学系２００は、図１（ａ）に示すように、ダイクロイックミラー２１０，２１４と、反射ミラー２１２，２１６，２１８，２２０，２２２と、リレーレンズ２４０，２４２とを有している。色分離導光光学系２００は、回転プリズム７７０から射出される照明光束を赤色光、緑色光及び青色光の３つの色光に分離して、それぞれの色光を照明対象となる液晶装置４００Ｒ，４００Ｇ，４００Ｂに導く機能を有している。色分離導光光学系２００としては、照明装置１００から液晶装置４００Ｒ，４００Ｇ，４００Ｂまでの光路長が等しい等光路長光学系を用いている。
【００５７】
ダイクロイックミラー２１０は、回転プリズム７７０から射出される光のうち赤色光成分と緑色光成分とを透過させるとともに、青色光成分を反射する。ダイクロイックミラー２１０で反射された青色光成分は、反射ミラー２１８で反射され、リレーレンズ２４２を経て、反射ミラー２２０，２２２で反射された後、フィールドレンズ２４８を通過して青色光用の液晶装置４００Ｂに達する。一方、ダイクロイックミラー２１０を透過した赤色光成分及び緑色光成分は、反射ミラー２１２で反射され、リレーレンズ２４０を通過する。ここで、リレーレンズ２４０から射出された赤色光成分及び緑色光成分のうち赤色光成分は、ダイクロイックミラー２１４を透過して、さらに反射ミラー２１６で反射されて、フィールドレンズ２４４を通過して赤色光用の液晶装置４００Ｒに達する。また、ダイクロイックミラー２１４で反射された緑色光成分は、さらに反射ミラー２１８で反射されて、フィールドレンズ２４６を通過して緑色光用の液晶装置４００Ｇに達する。なお、液晶装置４００Ｒ，４００Ｇ，４００Ｂの各色光の光路前段に設けられたフィールドレンズ２４４，２４６，２４８は、第２レンズアレイ１３０から射出された各部分光束を、各主光線に対して略平行な光束に変換するために設けられている。
【００５８】
液晶装置４００Ｒ，４００Ｇ，４００Ｂは、照明光束を画像情報に応じて変調してカラー画像を形成するものであり、照明装置１００の照明対象となる。なお、図示を省略したが、フィールドレンズ２４４，２４６，２４８と各液晶装置４００Ｒ，４００Ｇ，４００Ｂとの間には、それぞれ入射側偏光板が介在配置され、各液晶装置４００Ｒ，４００Ｇ，４００Ｂとクロスダイクロイックプリズム５００との間には、それぞれ射出側偏光板が介在配置されている。これら入射側偏光板、液晶装置４００Ｒ，４００Ｇ，４００Ｂ及び射出側偏光板によって入射する各色光の光変調が行われる。
液晶装置４００Ｒ，４００Ｇ，４００Ｂは、一対の透明なガラス基板に電気光学物質である液晶を密閉封入したものであり、例えば、ポリシリコンＴＦＴをスイッチング素子として、与えられた画像信号に従って、入射側偏光板から射出された１種類の直線偏光の偏光方向を変調する。
液晶装置４００Ｒ,４００Ｇ,４００Ｂとしては、「ｙ軸方向に沿った縦寸法：ｘ軸方向に沿った横寸法＝９：１６の長方形」の平面形状を有するワイドビジョン用の液晶装置を用いている。
【００５９】
クロスダイクロイックプリズム５００は、射出側偏光板から射出された各色光毎に変調された光学像を合成して、カラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
クロスダイクロイックプリズム５００から射出されたカラー画像は、投写光学系６００によって拡大投写され、スクリーンＳＣＲ上で大画面画像を形成する。
【００６０】
実施形態１に係るプロジェクタ１０００は、回転プリズム７７０を用いたこと及び移動遮光部材７０２を備えたことを特徴としている。
以下、実施形態１に係るプロジェクタ１０００における回転プリズム７７０及び移動遮光部材７０２について詳細に説明する。
【００６１】
１．回転プリズム
図３は、回転プリズム７７０の回転と液晶装置４００Ｒ,４００Ｇ,４００Ｂ上の照明状態との関係を示す図である。図３（ａ）は回転プリズム７７０を回転軸７７２に沿って見たときの断面図であり、図３（ｂ）は回転プリズム７７０を照明光軸１００ａｘに沿って見たときの図であり、図３（ｃ）は液晶装置４００Ｒ,４００Ｇ,４００Ｂの画像形成領域Ｓ上における照明光束Ｌの照射状態を示す図である。
【００６２】
回転プリズム７７０は、液晶装置４００Ｒ，４００Ｇ，４００Ｂの画面書込み走査に同期して、一定の速度で回転するように構成されている。このため、照明光軸１００ａｘ上における第１小レンズ１２２の仮想中心点の像Ｐから射出される光は、図３（ａ）〜図３（ｃ）に示すように、回転プリズム７７０が回転すると、回転プリズム７７０の光通過面によって所定の屈折を受ける。その結果、液晶装置４００Ｒ，４００Ｇ，４００Ｂの画像形成領域Ｓにおいては、画面書込み走査に同期して、光照射領域と光非照射領域とが順次スクロールされるようになる。
【００６３】
このため、実施形態１に係るプロジェクタ１０００によれば、回転プリズム７７０を回転させることにより、液晶装置４００Ｒ，４００Ｇ，４００Ｂの画像形成領域Ｓ上で照明光束Ｌが走査されるようになる。その結果、液晶装置４００Ｒ，４００Ｇ，４００Ｂの画像形成領域Ｓにおけるいずれの点に着目しても間欠的に光が遮断されるようになるため、動画表示特性が改善され、優れた動画表示特性を有するようになる。
【００６４】
２．移動遮光部材
図４〜図８は、移動遮光部材７０２の効果を説明するために示す図である。
【００６５】
図４（ａ）〜図４（ｄ）は液晶装置４００Ｒ，４００Ｇ，４００Ｂの画像形成領域Ｓにおける照明光束Ｌの照明状態と回転プリズム７７０の傾き角θを示す図であり、図４（ｅ）は回転プリズム７７０の傾き角θと画像形成領域Ｓ上における照明光束Ｌの移動速度との関係を示す図である。なお、図４（ａ）及び図４（ｃ）中に示す矢印ｖは、照明光束Ｌの仮想中心点における移動速度をそれぞれベクトル表示したものである。図４（ｂ）は、図４（ａ）に示す照明状態（照明光束Ｌが画像形成領域Ｓの縦方向中央部を照明している状態）のときの、回転プリズム７７０の傾き角θを示し、図４（ｄ）は、図４（ｃ）に示す照明状態（照明光束Ｌが画像形成領域Ｓの縦方向両端部を照明している状態）のときの、回転プリズム７７０の傾き角θを示している。
なお、図４（ｅ）において、回転プリズム面に照明光軸１００ａｘが垂直に入射するときの回転プリズム７７０の傾き角θを「傾き角θ＝０°」とする（以下この明細書において同じとする。）。
【００６６】
図５（ａ）は移動遮光部材を用いない比較例に係るプロジェクタにおける回転プリズム７７０の傾き角θと画像形成領域Ｓ上の光強度との関係を示す図であり、図５（ｂ）は比較例に係るプロジェクタにおけるスクリーンＳＣＲの光強度分布を示す図であり、図５（ｃ）は比較例に係るプロジェクタにおけるスクリーンＳＣＲ上の光強度の相対値を示す図である。
【００６７】
図６（ａ）は移動遮光部材保持装置７００の正面図であり、図６（ｂ）は固定遮光部材７４０の正面図であり、図６（ｃ）は回転プリズム７７０の傾き角θと移動遮光部材７０２における光通過率との関係を示す図である。
【００６８】
図７（ａ）〜図７（ｆ）は、移動遮光部材７０２が異なる位置にある場合の、移動遮光部材７０２の上面図又は正面図である。なお、説明を容易にするため、図７（ａ）、図７（ｃ）及び図７（ｅ）においては、移動遮光部材７０２と併せて、移動遮光部材７０２の光路前段及び光路後段に配置される光学部材（第２レンズアレイ１３０、固定遮光部材７４０、偏光変換素子１４０及び重畳レンズ１５０）についても図示している。また、図７（ｂ）、図７（ｄ）及び図７（ｆ）においては、移動遮光部材７０２を含む移動遮光部材保持装置７００及び固定遮光部材７４０を図示している。
【００６９】
図８（ａ）は実施形態１に係るプロジェクタ１０００における回転プリズム７７０の傾き角θと画像形成領域Ｓ上の光強度との関係を示す図であり、図８（ｂ）は実施形態１に係るプロジェクタ１０００におけるスクリーンＳＣＲの光強度分布を示す図であり、図８（ｃ）は実施形態１に係るプロジェクタ１０００におけるスクリーンＳＣＲ上の光強度の相対値を示す図である。なお、図８（ａ）及び図８（ｃ）においては、各傾き角θにおける光強度は、傾き角θ＝０°のときの光強度を１００とし、その光強度に対する相対値で示している。
【００７０】
図９は、実施形態１に係るプロジェクタ１０００における移動遮光部材７０２を説明するために示すブロック図である。
【００７１】
回転プリズム７７０を一定の速度で回転させて液晶装置４００Ｒ，４００Ｇ，４００Ｂの画像形成領域Ｓ上で照明光束Ｌを走査させる構成では、液晶装置４００Ｒ，４００Ｇ，４００Ｂの画像形成領域Ｓ上においては、照明光束Ｌの位置によってその移動速度（走査速度）が変化してしまう。すなわち、図４に示すように、画像形成領域Ｓの縦方向（ｙ軸方向）両端部における照明光束の移動速度が、画像形成領域Ｓの縦方向（ｙ軸方向）中央部における照明光束の移動速度よりも早くなってしまう。このため、移動遮光部材を用いない比較例に係るプロジェクタ（図示せず。）においては、図５（ａ）からわかるように、液晶装置４００Ｒ，４００Ｇ，４００Ｂにおいて画像形成領域Ｓの縦方向（ｙ軸方向）両端部における照度が縦方向（ｙ軸方向）中央部における照度よりも低くなってしまい、スクリーンＳＣＲにおいても同様に、図５（ｂ）及び図５（ｃ）に示すように、スクリーンＳＣＲの縦方向（ｙ軸方向）両端部（符号Ｈ０，Ｈ２）における照度が縦方向（ｙ軸方向）中央部（符号Ｈ１）における照度よりも低くなってしまう。
【００７２】
これに対し、実施形態１に係るプロジェクタ１０００は、図１（ａ）及び図１（ｂ）に示すように、移動遮光部材７０２を備えている。
移動遮光部材７０２は、図６（ａ）に示すように、移動遮光部材保持装置７００を構成する光学部品である。
【００７３】
移動遮光部材保持装置７００は、図６（ａ）に示すように、２つの移動遮光部材７０２，７０２と、２つの移動遮光部材７０２，７０２を保持する保持部材７１０とを有している。
移動遮光部材保持装置７００における移動遮光部材７０２は、図２（ａ）に示すように、第２レンズアレイ１３０と偏光変換素子１４０との間に配置されている。これにより、偏光変換素子１４０上で形成されるアーク像により近い位置で移動遮光部材７０２をｘ軸方向に沿って移動することができるようになるため、個々のアーク像に対して遮光することができ、照明光束の光量を精度良く、かつ、照明ムラを生じさせることなく制御することができるようになる。
【００７４】
移動遮光部材７０２は、図６（ａ）に示すように、平面視略矩形状の板状部材であり、所定位置に略矩形状の開口部７０４が形成されている。
移動遮光部材７０２は、光反射型の遮光部材であるため、移動遮光部材７０２において遮蔽された照明光束は反射されることとなり、移動遮光部材７０２における熱の発生が抑制される。なお、移動遮光部材７０２は、例えばアルミニウム又はアルミニウム合金からなる金属板である。
【００７５】
移動遮光部材７０２の下端部には、モータ７２２のモータ軸に形成されたギア部７２６（後述する。）と係合する係合部７０６が形成されている。これにより、モータ７２２の駆動を係合部７０６を介して移動遮光部材７０２に伝達することができる。
【００７６】
保持部材７１０は、２つの柱状部７１２と、梁部７１４とを有している。梁部７１４には図示しないスライド部が設けられており、このスライド部に移動遮光部材７０２の上端部が係合している。これにより、移動遮光部材７０２は、保持部材７１０のスライド部に沿って、すなわちｘ軸方向に沿って移動することが可能となる。
【００７７】
また、移動遮光部材７０２と偏光変換素子１４０との間の位置には、固定遮光部材７４０が配置されている。
固定遮光部材７４０は、図６（ｂ）に示すように、平面視略矩形状の板状部材であり、所定位置に略矩形状の開口部７４２が形成されている。
固定遮光部材７４０は、光反射型の遮光部材であるため、固定遮光部材７４０において遮蔽された照明光束は系外に反射されることとなり、固定遮光部材７４０における熱の発生が抑制される。なお、固定遮光部材７４０は、例えばアルミニウム又はアルミニウム合金からなる金属板である。
【００７８】
移動遮光部材７０２の開口部７０４は、移動遮光部材７０２が初期位置（後述する。）にあるときに、第２レンズアレイ１３０から射出される各部分光束が移動遮光部材７０２によって遮光されることなく偏光変換素子１４０の偏光分離層１４２に入射するように、図６（ａ）に示すような大きさ・形状として形成されている。
また、固定遮光部材７４０の開口部７４２は、第２レンズアレイ１３０から射出される各部分光束が偏光変換素子１４０の反射層に入射してしまうことを防止するために、図６（ｂ）に示すような大きさ・形状として形成されている。これにより、移動遮光部材７０２が初期位置から偏倚している場合にも、第２レンズアレイ１３０から射出される各部分光束が偏光変換素子１４０の反射層１４４に入射してしまうことを確実に防止することができ、迷光の発生を抑制することができる。
【００７９】
実施形態１に係るプロジェクタ１０００は、移動遮光部材７０２の位置を変化させて開口部７０４を通過する照明光束の光量を調整することによって、移動遮光部材７０２に入射する照明光束の光強度に対する移動遮光部材７０２から射出される照明光束の光強度の割合（以下「移動遮光部材における光通過率」という。）を変化させるように構成されている。ここで、移動遮光部材７０２の位置と移動遮光部材７０２における光通過率との関係について、図７（ａ）〜図７（ｆ）を用いながら説明する。
【００８０】
ここで、移動遮光部材７０２の位置について、図７（ａ）及び図７（ｂ）に示すように、第２レンズアレイ１３０から射出される各部分光束が、移動遮光部材７０２によって遮光されることなく偏光変換素子１４０の偏光分離層１４２に入射するときの移動遮光部材７０２の位置を、移動遮光部材７０２の初期位置とする。そして、移動遮光部材７０２が初期位置にあるときの移動遮光部材７０２の位置を、以下「全開位置」という。また、図７（ｅ）及び図７（ｆ）に示すように、第２レンズアレイ１３０から射出される各部分光束が、移動遮光部材７０２によってすべて遮光されるときの移動遮光部材７０２の位置を、以下「全閉位置」という。また、図７（ｃ）及び図７（ｄ）に示すように、全開位置と全閉位置との中間位置に位置するときの移動遮光部材７０２の位置を、以下「半開位置」という。
【００８１】
これより、図７（ａ）及び図７（ｂ）は、移動遮光部材７０２が全開位置にあるときの移動遮光部材７０２の上面図及び正面図であり、図７（ｃ）及び図７（ｄ）は、移動遮光部材７０２が半開位置にあるときの移動遮光部材７０２の上面図及び正面図であり、図７（ｅ）及び図７（ｆ）は、移動遮光部材７０２が全閉位置にあるときの移動遮光部材７０２の上面図及び正面図である。
【００８２】
移動遮光部材７０２が全開位置にあるときには、図７（ａ）及び図７（ｂ）に示すように、移動遮光部材７０２の開口部７０４が偏光変換素子１４０の偏光分離層１４２に対応する位置にあるため、第２レンズアレイ１３０から射出される各部分光束は、移動遮光部材７０２で遮光されることなく偏光変換素子１４０の偏光分離層１４２に入射することとなる。すなわち、移動遮光部材７０２が全開位置にあるときには、移動遮光部材７０２における光通過率は１００％となる。
【００８３】
移動遮光部材７０２が半開位置にあるときには、図７（ｃ）及び図７（ｄ）に示すように、移動遮光部材７０２の開口部７０４は、偏光変換素子１４０の偏光分離層１４２の約半分を遮蔽する位置に配置されることとなるため、第２レンズアレイ１３０から射出される部分光束の約５０％の光量は移動遮光部材７０２で遮光されることとなり、残りの約５０％の光量は移動遮光部材７０２を通過する。すなわち、移動遮光部材７０２が半開位置にあるときには、移動遮光部材７０２における光通過率は約５０％となる。
【００８４】
移動遮光部材７０２が全閉位置にあるときには、図７（ｅ）及び図７（ｆ）に示すように、移動遮光部材７０２の開口部７０４は、偏光変換素子１４０の偏光分離層１４２のすべてを遮蔽する位置に配置されることとなるため、第２レンズアレイ１３０から射出される部分光束は、その全光量が移動遮光部材７０２で遮光されることとなる。すなわち、移動遮光部材７０２が全閉位置にあるときには、移動遮光部材７０２における光通過率は０％となる。
【００８５】
このように、実施形態１に係るプロジェクタ１０００は、移動遮光部材７０２の位置を変化させて開口部７０４を通過する照明光束の光量を調整することによって、移動遮光部材７０２における光通過率が変化するように構成されている。
【００８６】
実施形態１に係るプロジェクタ１０００は、移動遮光部材７０２をｘ軸方向に沿って移動させるモータ７２２と、モータ７２２の駆動を制御するモータ制御回路７２４とをさらに有している。モータ７２２のモータ軸にはギア部７２６が形成されており、上記したように、ギア部７２６は移動遮光部材７０２の係合部７０６と係合している。そして、モータ制御回路７２４がモータ７２２の駆動を制御することによって、移動遮光部材７０２の位置の制御が可能となるように構成されている。
なお、モータ７２２としては、ガルバノモータ（ガルバノミラーやガルバノスキャナに用いられるモータ）を用いているが、その他のモータを用いることも可能である。モータ７２２として、例えば超音波モータを用いることにより、移動遮光部材７０２の加速及び減速を高速に行うことが可能となる。
【００８７】
モータ制御回路７２４は、図６（ｃ）に示すように、回転プリズム７７０の傾き角θが傾き角θ＝０°近傍にあるときには、移動遮光部材７０２における光通過率を低くするように、すなわち移動遮光部材７０２の位置を初期位置から比較的大きく移動させるように、モータ７２２の駆動を制御して移動遮光部材７０２の移動の制御を行い、回転プリズム７７０の傾き角θが傾き角θ＝４５°又は傾き角θ＝−４５°近傍にあるときには、移動遮光部材７０２における光通過率を高くするように、すなわち移動遮光部材７０２の位置を初期位置に揃えるように、モータ７２２の駆動を制御して移動遮光部材７０２の移動の制御を行う機能を有している。
【００８８】
ここで、回転プリズム７７０の傾き角θが傾き角θ＝０°近傍にあるときとは、照明光束Ｌが液晶装置４００Ｒ，４００Ｇ，４００Ｂの画像形成領域Ｓにおける縦方向（ｙ軸方向）中央部を通過するときのことであり、回転プリズム７７０の傾き角θが傾き角θ＝４５°又は傾き角θ＝−４５°近傍にあるときとは、照明光束Ｌが液晶装置４００Ｒ，４００Ｇ，４００Ｂの画像形成領域Ｓにおける縦方向（ｙ軸方向）両端部を通過するときのことである。
【００８９】
このように実施形態１に係るプロジェクタ１０００は、ｘ軸方向に沿って移動可能な移動遮光部材７０２と、移動遮光部材７０２をｘ軸方向に沿って移動させるモータ７２２と、照明光束Ｌの移動速度（走査速度）が液晶装置４００Ｒ，４００Ｇ，４００Ｂにおける画像形成領域Ｓ上で変化することに起因して発生する照度差を軽減させるように、モータ７２２の駆動を制御し、ひいては移動遮光部材７０２の移動を制御するモータ制御回路７２４とを備えている。
【００９０】
このため、実施形態１に係るプロジェクタ１０００によれば、図８（ａ）に示すように、回転プリズム７７０を一定の回転速度で回転させた場合に発生する上記した照度差が軽減されるようになり、図８（ｂ）及び図８（ｃ）に示すように、スクリーンＳＣＲ全面でより均一な表示を行うことが可能になる。すなわち、均一な面内表示特性を有するようになる。
【００９１】
また、実施形態１に係るプロジェクタ１０００においては、上記のような照度差を軽減させるための手段として、光学ガラスなどからなり重量の大きな回転プリズムの回転速度を変化させる手段を用いる代わりに、比較的軽量な移動遮光部材７０２の移動を制御する手段としての上記したモータ７２２及びモータ制御回路７２４を用いているため、回転プリズム７７０を駆動するための回転プリズム用モータ７７４として高価なモータを用いる必要がなくなり、回転プリズム７７０の回転速度を加速及び減速する際に使用する消費エネルギーも低いものになる。なお、移動遮光部材７０２は比較的軽量であるため、移動遮光部材７０２の移動を制御するための手段としては高価な手段を用いる必要もないし、移動遮光部材７０２の移動を制御するための手段を駆動する際に使用する消費電力も低いもので十分である。
このため、実施形態１に係るプロジェクタ１０００によれば、製造コストが高くなったり消費電力が高くなったりすることがなくなる。
【００９２】
このため、実施形態１に係るプロジェクタ１０００は、優れた動画表示特性及び均一な面内表示特性を有し、製造コストが高くなったり消費電力が高くなったりすることのないプロジェクタとなる。
【００９３】
実施形態１に係るプロジェクタ１０００においては、上記したように、照明装置１００は、移動遮光部材７０２をｘ軸方向に沿って移動させるモータ７２２と、モータ７２２の駆動を制御するモータ制御回路７２４とを有しているため、移動遮光部材７０２の移動を、上記のような照度差を軽減するように正確に制御することができる。
【００９４】
実施形態１に係るプロジェクタ１０００においては、図９に示すように、回転プリズム７７０の回転状態を検知する回転状態検知センサ７５０と、回転状態検知センサ７５０の出力信号を処理してモータ制御回路７２４に出力する回転状態検出回路７５２とをさらに備えている。そして、モータ制御回路７２４は、回転状態検出回路７５２の出力信号に基づいて、モータ７２２の駆動を制御して、移動遮光部材７０２の移動を制御するように構成されている。
【００９５】
このため、実施形態１に係るプロジェクタ１０００によれば、回転プリズム７７０の回転状態に対応した正確な制御を行うことが可能になるため、照明光束の移動速度（走査速度）が液晶装置４００Ｒ，４００Ｇ，４００Ｂにおける画像形成領域Ｓ上で変化することに起因して発生する照度差を効果的に軽減することが可能になる。
【００９６】
なお、実施形態１に係るプロジェクタ１０００においては、画像情報の処理を行う画像処理回路７６０からの出力信号に基づいて、回転プリズム用モータ駆動回路７７６が回転プリズム用モータ７７４を駆動することにより、液晶装置４００Ｒ，４００Ｇ，４００Ｂの画面書込み周波数に同期して回転プリズム７７０を回転するように構成されている。
【００９７】
以上、実施形態１に係るプロジェクタ１０００における回転プリズム７７０及び移動遮光部材７０２について詳細に説明したが、実施形態１に係るプロジェクタ１０００においては以下のような特徴も有している。
【００９８】
実施形態１に係るプロジェクタ１０００においては、光源装置１１０は、発光管１１２、発光管１１２からの光を反射する楕円面リフレクタ１１４及び楕円面リフレクタ１１４で反射される光を略平行光にする平行化レンズ１１８を有する光源装置である。
【００９９】
このため、実施形態１に係るプロジェクタ１０００によれば、放物面リフレクタを用いた光源装置と比較して、よりコンパクトな光源装置を実現することができる。
【０１００】
実施形態１に係るプロジェクタ１０００においては、発光管１１２には、発光管１１２から被照明領域側に射出される光を発光管１１２に向けて反射する補助ミラー１１６が設けられている。
【０１０１】
このため、実施形態１に係るプロジェクタ１０００によれば、発光管１１２から被照明領域側に放射される光は発光管１１２に向けて反射されるため、発光管１１２の被照明領域側端部を覆うような大きさに楕円面リフレクタ１１４の大きさを設定することを必要とせず、楕円面リフレクタ１１４の小型化を図ることができ、プロジェクタ１０００の小型化を図ることができる。また、このことは、第１レンズアレイ１２０の大きさ、第２レンズアレイ１３０の大きさ、偏光変換素子１４０の大きさ、重畳レンズ１５０の大きさ、色分離光学系２００の大きさなどをさらに小さくすることができることをも意味し、プロジェクタ１０００のさらなる小型化を図ることができる。
【０１０２】
実施形態１に係るプロジェクタ１０００においては、電気光学変調装置として、色分離導光光学系２００から射出される３つの色光をそれぞれの色光に対応する画像情報に応じて変調する３つの液晶装置４００Ｒ，４００Ｇ，４００Ｂを備えている。また、回転プリズム７７０と液晶装置４００Ｒ，４００Ｇ，４００Ｂとの間に配置され、回転プリズム７７０からの照明光束を３つの色光に分離して液晶装置４００Ｒ，４００Ｇ，４００Ｂに導くための色分離導光光学系２００と、液晶装置４００Ｒ，４００Ｇ，４００Ｂで変調されたそれぞれの色光を合成するクロスダイクロイックプリズム５００とをさらに備えている。
【０１０３】
このため、実施形態１に係るプロジェクタ１０００によれば、滑らかで良質な動画表示が得られるようにした場合であっても光利用効率が大幅に低下しないプロジェクタを、画像品質の優れた３板式のフルカラープロジェクタとすることができるようになる。
【０１０４】
実施形態１に係るプロジェクタ１０００においては、光源装置１１０からの照明光束を略１種類の直線偏光に揃えて射出する偏光変換素子１４０をさらに有しているため、偏光変換素子１４０の作用により光源装置１１０からの照明光束を一方の偏光軸を有する略１種類の直線偏光に変換することができるようになる。このため、実施形態１に係るプロジェクタ１０００のように、電気光学変調装置として液晶装置等のように１種類の直線偏光を利用するタイプの電気光学変調装置を用いる場合に、光源装置１１０からの照明光束を有効に利用することができる。
【０１０５】
実施形態１に係るプロジェクタ１０００においては、回転プリズム７７０の光透過面には、減反射膜が形成されている。このため、回転プリズム７７０における光透過率が向上するため、光利用効率の低下を最小限のものにすることができるとともに、迷光レベルが低減し、コントラストが向上する。
【０１０６】
〔実施形態２〕
図１０は、実施形態２に係るプロジェクタ１００２を説明するために示す図である。図１０（ａ）はプロジェクタ１００２の光学系を上面から見た図であり、図１０（ｂ）は第１レンズアレイ１２０から重畳レンズ１５０までの概略構成図である。
図１１は、実施形態２における移動遮光部材７０２の移動動作を説明するために示す図である。図１１（ａ）及び図１１（ｂ）は、移動遮光部材７０２が全開位置にあるときの移動遮光部材７０２の上面図及び正面図であり、図１１（ｃ）及び図１１（ｄ）は、移動遮光部材７０２が半開位置にあるときの移動遮光部材７０２の上面図及び正面図であり、図１１（ｅ）及び図１１（ｆ）は、移動遮光部材７０２が全閉位置にあるときの移動遮光部材７０２の上面図及び正面図である。
なお、図１０（ａ）において、図１（ａ）と同一の部材については同一の符号を付し、詳細な説明は省略する。
【０１０７】
実施形態２に係るプロジェクタ１００２は、基本的には実施形態１に係るプロジェクタ１０００とよく似た構成を有しているが、図１０（ｂ）に示すように、第２レンズアレイ１３０と偏光変換素子１４０との間の位置に固定遮光部材が配設されていない点で、実施形態１に係るプロジェクタ１０００とは異なっている。
【０１０８】
しかしながら、実施形態２に係るプロジェクタ１００２においても、実施形態１に係るプロジェクタ１０００と同様に、照明光束の走査速度が液晶装置４００Ｒ，４００Ｇ，４００Ｂにおける画像形成領域上で変化することに起因して発生する照度差を軽減するように、照明光束の画像形成領域上の位置に応じて、ｘ軸方向に沿って移動可能な移動遮光部材７０２を備えている。これにより、実施形態２に係るプロジェクタ１００２においても、実施形態１に係るプロジェクタ１０００の場合と同様に、図１１（ａ）〜図１１（ｆ）に示すように、移動遮光部材７０２の位置を変化させて開口部７０４を通過する照明光束の光量を調整することによって、移動遮光部材７０２における光通過率を変化させることが可能となる。
【０１０９】
このように、実施形態２に係るプロジェクタ１００２は、実施形態１に係るプロジェクタ１０００とは、固定遮光部材が配設されていない点が異なるが、実施形態１に係るプロジェクタ１０００の場合と同様に、移動遮光部材７０２を備えているため、回転プリズム７７０を一定の回転速度で回転させた場合に発生する照度差が軽減されるようになり、スクリーン全面でより均一な表示を行うことが可能になる。すなわち、均一な面内表示特性を有するようになる。
【０１１０】
したがって、実施形態２に係るプロジェクタ１００２は、固定遮光部材が配設されていない点以外の点では、実施形態１に係るプロジェクタ１０００と同様の構成を有するため、実施形態１に係るプロジェクタ１０００の場合と同様の効果を有する。
【０１１１】
〔実施形態３〕
図１２は、実施形態３に係るプロジェクタ１００４を説明するために示す図である。図１２（ａ）はプロジェクタ１００４の光学系を上面から見た図であり、図１２（ｂ）は第１レンズアレイ１２０Ｂから重畳レンズ１５０Ｂまでの概略構成図である。
図１３は、移動遮光部材保持装置７００Ｂ及び固定遮光部材７４０Ｂを説明するために示す図である。図１３（ａ）は移動遮光部材保持装置７００Ｂの正面図であり、図１３（ｂ）は固定遮光部材７４０Ｂの正面図である。
図１４は、実施形態３における移動遮光部材７０２Ｂの移動動作を説明するために示す図である。図１４（ａ）及び図１４（ｂ）は、移動遮光部材７０２Ｂが全開位置にあるときの移動遮光部材７０２Ｂの上面図及び正面図であり、図１４（ｃ）及び図１４（ｄ）は、移動遮光部材７０２Ｂが半開位置にあるときの移動遮光部材７０２Ｂの上面図及び正面図であり、図１４（ｅ）及び図１４（ｆ）は、移動遮光部材７０２Ｂが全閉位置にあるときの移動遮光部材７０２Ｂの上面図及び正面図である。
なお、図１２（ａ）において、図１（ａ）と同一の部材については同一の符号を付し、詳細な説明は省略する。
【０１１２】
実施形態３に係るプロジェクタ１００４は、基本的には実施形態１に係るプロジェクタ１０００とよく似た構成を有しているが、図１２（ｂ）に示すように、偏光変換素子の構成が実施形態１に係るプロジェクタ１０００とは異なっている。
【０１１３】
すなわち、実施形態１に係るプロジェクタ１０００における偏光変換素子１４０は、図２（ａ）に示すように、照明光軸１００ａｘを挟んで偏光分離層１４２及び反射層１４４が対称に並んだ構成を有しているのに対し、実施形態３に係るプロジェクタ１００４における偏光変換素子１４０Ｂは、図１２（ｂ）に示すように、その偏光分離層及び反射層がすべて同一方向に並んだ構成を有している。
なお、実施形態３に係るプロジェクタ１００４においては、実施形態１における第１レンズアレイ１２０、第２レンズアレイ１３０及び重畳レンズ１５０に代えて、サイズが若干異なる第１レンズアレイ１２０Ｂ、第２レンズアレイ１３０Ｂ及び重畳レンズ１５０Ｂを用いているが、それらが有する機能等については実施形態１で説明したものと同一であるため、詳細な説明は省略する。
【０１１４】
また、実施形態３に係るプロジェクタ１００４においては、移動遮光部材として、図１３（ａ）に示すような１枚の金属板からなる移動遮光部材７０２Ｂを用いている。移動遮光部材７０２Ｂは、図１３（ａ）に示すように、平面視略矩形状の板状部材であり、偏光変換素子１４０Ｂの偏光分離層に対応する位置に開口部７０４Ｂが形成されている。移動遮光部材７０２Ｂの下端部には、モータ７２２のモータ軸に形成されたギア部７２６と係合する係合部７０６Ｂが形成されている。これにより、モータ７２２の駆動を係合部７０６Ｂを介して移動遮光部材７０２Ｂに伝達することができる。なお、保持部材７１０は、実施形態１で説明したものと同一であるため、詳細な説明は省略する。
【０１１５】
実施形態３に係るプロジェクタ１００４においては、固定遮光部材として、図１３（ｂ）に示すような１枚の金属板からなる固定遮光部材７４０Ｂを用いている。固定遮光部材７４０Ｂは、平面視略矩形状の板状部材であり、所定位置に略矩形状の開口部７４２Ｂが形成されている。
【０１１６】
実施形態３に係るプロジェクタ１００４は、照明光束の走査速度が液晶装置４００Ｒ，４００Ｇ，４００Ｂにおける画像形成領域上で変化することに起因して発生する照度差を軽減するように、照明光束の画像形成領域上の位置に応じて、ｘ軸方向に沿って移動可能な移動遮光部材７０２Ｂを備えている。これにより、実施形態３に係るプロジェクタ１００４においても、実施形態１に係るプロジェクタ１０００の場合と同様に、図１４（ａ）〜図１４（ｆ）に示すように、移動遮光部材７０２Ｂの位置を変化させて開口部７０４Ｂを通過する照明光束の光量を調整することによって、移動遮光部材７０２Ｂにおける光通過率を変化させることが可能となる。
【０１１７】
このように、実施形態３に係るプロジェクタ１００４は、実施形態１に係るプロジェクタ１０００とは、偏光変換素子の構成（並びに移動遮光部材及び固定遮光部材の構成）が異なるが、実施形態１に係るプロジェクタ１０００の場合と同様に、移動遮光部材７０２Ｂを備えているため、回転プリズム７７０を一定の回転速度で回転させた場合に発生する照度差が軽減されるようになり、スクリーン全面でより均一な表示を行うことが可能になる。すなわち、均一な面内表示特性を有するようになる。
【０１１８】
したがって、実施形態３に係るプロジェクタ１００４は、偏光変換素子の構成（並びに移動遮光部材及び固定遮光部材の構成）以外の点では、実施形態１に係るプロジェクタ１０００と同様の構成を有するため、実施形態１に係るプロジェクタ１０００の場合と同様の効果を有する。
【０１１９】
〔実施形態４〕
図１５は、実施形態４に係るプロジェクタ１００６を説明するために示す図である。図１５（ａ）はプロジェクタ１００６の光学系を上面から見た図であり、図１５（ｂ）は第１レンズアレイ１２０Ｂから重畳レンズ１５０Ｂまでの概略構成図である。
図１６は、実施形態４における移動遮光部材７０２Ｂの移動動作を説明するために示す図である。図１６（ａ）及び図１６（ｂ）は、移動遮光部材７０２Ｂが全開位置にあるときの移動遮光部材７０２Ｂの上面図及び正面図であり、図１６（ｃ）及び図１６（ｄ）は、移動遮光部材７０２Ｂが半開位置にあるときの移動遮光部材７０２Ｂの上面図及び正面図であり、図１６（ｅ）及び図１６（ｆ）は、移動遮光部材７０２Ｂが全閉位置にあるときの移動遮光部材７０２Ｂの上面図及び正面図である。
なお、図１５（ａ）において、図１（ａ）と同一の部材については同一の符号を付し、詳細な説明は省略する。
【０１２０】
実施形態４に係るプロジェクタ１００６は、基本的には実施形態３に係るプロジェクタ１００４とよく似た構成を有しているが、図１５（ｂ）に示すように、第２レンズアレイ１３０Ｂと偏光変換素子１４０Ｂとの間の位置に固定遮光部材が配設されていない点で、実施形態３に係るプロジェクタ１００４とは異なっている。
【０１２１】
しかしながら、実施形態４に係るプロジェクタ１００６においても、実施形態３に係るプロジェクタ１００４と同様に、照明光束の走査速度が液晶装置４００Ｒ，４００Ｇ，４００Ｂにおける画像形成領域上で変化することに起因して発生する照度差を軽減するように、照明光束の画像形成領域上の位置に応じて、ｘ軸方向に沿って移動可能な移動遮光部材７０２Ｂを備えている。これにより、実施形態４に係るプロジェクタ１００６においても、実施形態３に係るプロジェクタ１００４の場合と同様に、図１６（ａ）〜図１６（ｆ）に示すように、移動遮光部材７０２Ｂの位置を変化させて開口部７０４Ｂを通過する照明光束の光量を調整することによって、移動遮光部材７０２Ｂにおける光通過率を変化させることが可能となる。
【０１２２】
このように、実施形態４に係るプロジェクタ１００６は、実施形態３に係るプロジェクタ１００４とは、固定遮光部材が配設されていない点が異なるが、実施形態３に係るプロジェクタ１００４の場合と同様に、移動遮光部材７０２Ｂを備えているため、回転プリズム７７０を一定の回転速度で回転させた場合に発生する照度差が軽減されるようになり、スクリーン全面でより均一な表示を行うことが可能になる。すなわち、均一な面内表示特性を有するようになる。
【０１２３】
したがって、実施形態４に係るプロジェクタ１００６によれば、実施形態３に係るプロジェクタ１００４の場合と同様の効果を有し、優れた動画表示特性及び均一な面内表示特性を有し、製造コストが高くなったり消費電力が高くなったりすることのないプロジェクタとなる。
【０１２４】
〔実施形態５〕
図１７は、実施形態５に係るプロジェクタ１００８を説明するために示す図である。なお、図１７において、図９と同一の部材については同一の符号を付し、詳細な説明は省略する。
【０１２５】
実施形態５に係るプロジェクタ１００８（図示せず。）は、基本的には実施形態１に係るプロジェクタ１０００とよく似た構成を有しているが、図１７に示すように、実施形態１に係るプロジェクタ１０００とは、モータ制御回路の制御手段が異なっている。
【０１２６】
すなわち、実施形態１に係るプロジェクタ１０００においては、上記の制御手段として、回転プリズム７７０の回転状態を検知する回転状態検知センサ７５０及び回転状態検出回路７５２（図９参照。）を用いており、モータ制御回路７２４は、回転状態検出回路７５２の出力信号に基づいて、モータ７２２の駆動を制御して、移動遮光部材７０２の移動を制御するように構成されている。
【０１２７】
これに対し、実施形態５に係るプロジェクタ１００８においては、上記の制御手段として、回転状態検知センサ及び回転状態検出回路に代えて、図１７に示すように、画像情報の処理を行う画像処理回路７６２を用いており、モータ制御回路７２４は、画像処理回路７６２からの同期信号に基づいて、モータ７２２の駆動を制御して、移動遮光部材７０２の移動を制御するように構成されている。
【０１２８】
実施形態５に係るプロジェクタ１００８においては、回転プリズム７７０の回転は、画像処理回路７６２からの同期信号に基づいて行われる。このため、上記のように構成することによっても、回転プリズム７７０の回転状態に対応した正確な制御を行うことが可能になるため、照明光束の走査速度が液晶装置４００Ｒ，４００Ｇ，４００Ｂにおける画像形成領域上で変化することに起因して発生する照度差を効果的に軽減することが可能になる。
【０１２９】
このように、実施形態５に係るプロジェクタ１００８は、実施形態１に係るプロジェクタ１０００とは、照明光束の移動速度（走査速度）が液晶装置における画像形成領域上で変化することに起因して発生する照度差を軽減するためのモータ制御回路の制御手段が異なるが、実施形態１に係るプロジェクタ１０００の場合と同様に、移動遮光部材７０２を備えているため、回転プリズム７７０を一定の回転速度で回転させた場合に発生する照度差が軽減されるようになり、スクリーン全面でより均一な表示を行うことが可能になる。すなわち、均一な面内表示特性を有するようになる。
【０１３０】
したがって、実施形態５に係るプロジェクタ１００８は、モータ制御回路の制御手段以外の点では、実施形態１に係るプロジェクタ１０００と同様の構成を有するため、実施形態１に係るプロジェクタ１０００の場合と同様の効果を有する。
【０１３１】
〔実施形態６〕
図１８は、実施形態６に係るプロジェクタ１０１０の光学系を示す図である。図１８（ａ）はプロジェクタ１０１０の光学系を上面から見た図であり、図１８（ｂ）はプロジェクタ１０１０の光学系を側面から見た図である。
【０１３２】
実施形態６に係るプロジェクタ１０１０は、基本的には実施形態１に係るプロジェクタ１０００とよく似た構成を有しているが、図１８（ａ）に示すように、実施形態１に係るプロジェクタ１０００とは、色分離導光光学系の構成が異なっている。
すなわち、実施形態６に係るプロジェクタ１０１０においては、色分離導光光学系２０２として、各液晶装置４００Ｒ，４００Ｇ，４００Ｂ上で光照射領域と光非照射領域とがスクロールされる方向をすべて同一の方向とするために、ダブルリレー光学系１９０を用いている。
【０１３３】
色分離導光光学系２０２は、図１８（ａ）に示すように、ダイクロイックミラー２６０，２６２と、反射ミラー２６４と、ダブルリレー光学系１９０とを有している。ダブルリレー光学系１９０は、リレーレンズ１９１，１９２，１９４，１９５，１９７と、反射ミラー１９３，１９６と、フィールドレンズ１９８とを有している。また、色分離導光光学系２０２の光路前段には、リレーレンズ７９４が配置されている。
【０１３４】
ダイクロイックミラー２６０は、回転プリズム７７０から射出される光のうち赤色光成分を反射するとともに、緑色光成分及び青色光成分を透過させる。ダイクロイックミラー２６０で反射された赤色光成分は、反射ミラー２６４で反射されて、フィールドレンズ１７６Ｒを通過して赤色光用の液晶装置４００Ｒに達する。
ダイクロイックミラー２６０を透過した緑色光成分及び青色光成分のうち緑色光成分は、ダイクロイックミラー２６２によって反射され、フィールドレンズ１７６Ｇを通過して緑色光用の液晶装置４００Ｇに達する。一方、ダイクロイックミラー２６０を透過した青色光成分は、ダイクロイックミラー２６２を透過し、ダブルリレー光学系１９０を通過して青色光用の液晶装置４００Ｂに達する。液晶装置４００Ｒ，４００Ｇ，４００Ｂの各色光の光路前段に設けられたフィールドレンズ１７６Ｒ，１７６Ｇ，１９８は、第２レンズアレイ１３０から射出された各部分光束を、各主光線に対して略平行な光束に変換するために設けられている。
【０１３５】
ここで、青色光の光路にダブルリレー光学系１９０が設けられているのは、青色光の光路の長さが、他の色光の光路の長さよりも長いため、光の発散等による光の利用効率低下を防止するとともに、各液晶装置４００Ｒ，４００Ｇ，４００Ｂ上で光照射領域と光非照射領域とがスクロールされる方向をすべて同一の方向とするために設けられている。なお、実施形態６に係るプロジェクタ１０１０においては、３つの色光のうち青色光の光路にダブルリレー光学系１９０を用いた構成としたが、赤色光等のその他の色光の光路にこのようなダブルリレー光学系を用いた構成としてもよい。
【０１３６】
このように、実施形態６に係るプロジェクタ１０１０は、実施形態１に係るプロジェクタ１０００とは、色分離導光光学系の構成が異なるが、実施形態１に係るプロジェクタ１０００の場合と同様に、移動遮光部材７０２を備えているため、回転プリズム７７０を一定の回転速度で回転させた場合に発生する照度差が軽減されるようになり、スクリーンＳＣＲ全面でより均一な表示を行うことが可能になる。すなわち、均一な面内表示特性を有するようになる。
【０１３７】
なお、実施形態６に係るプロジェクタ１０１０においては、実施形態１に係るプロジェクタ１０００の場合と同様に、回転状態検出回路の出力信号に基づいて、モータ７２２の駆動を制御して、移動遮光部材７０２の移動を制御するモータ制御回路を備える構成としているが、実施形態５に係るプロジェクタ１００８の場合と同様に、画像処理回路からの同期信号に基づいて、モータ７２２の駆動を制御して、移動遮光部材７０２の移動を制御するモータ制御回路を備える構成としてもよい。
【０１３８】
したがって、実施形態６に係るプロジェクタ１０１０は、色分離導光光学系の構成以外の点では、実施形態１又は５に係るプロジェクタ１０００，１００８と同様の構成を有するため、実施形態１又は５に係るプロジェクタ１０００，１００８の場合と同様の効果を有する。
【０１３９】
〔実施形態７〕
図１９は、実施形態７に係るプロジェクタ１０１２の光学系を示す図である。図１９（ａ）はプロジェクタ１０１２の光学系を上面から見た図であり、図１９（ｂ）はプロジェクタ１０１２の光学系を側面から見た図である。
【０１４０】
実施形態７に係るプロジェクタ１０１２は、基本的には実施形態１に係るプロジェクタ１０００とよく似た構成を有しているが、図１９（ａ）及び図１９（ｂ）に示すように、実施形態１に係るプロジェクタ１０００とは、回転プリズムの配置位置及び光整形部材の有無という点で異なっている。
すなわち、実施形態７に係るプロジェクタ１０１２においては、回転プリズム７７０は、第１レンズアレイ１２０の各第１小レンズ及び液晶装置４００Ｒ，４００Ｇ，４００Ｂの画像形成領域Ｓと光学的に略共役な位置に配置されている。また、それに伴い、実施形態７に係るプロジェクタ１０１２においては光整形部材を有していない。
【０１４１】
図２０は、回転プリズム７７０の回転と液晶装置４００Ｒ，４００Ｇ，４００Ｂ上の照明状態との関係を示す図である。図２０（ａ）は回転プリズム７７０を回転軸７７２に沿って見たときの断面図であり、図２０（ｂ）は回転プリズム７７０を照明光軸１００ａｘに沿って見たときの図であり、図２０（ｃ）は液晶装置４００Ｒ，４００Ｇ，４００Ｂの画像形成領域Ｓ上における照明光束Ｌの照射状態を示す図である。
回転プリズム７７０は、液晶装置４００Ｒ，４００Ｇ，４００Ｂの画面書込み走査に同期して、一定の速度で回転するように構成されている。このため、照明光軸１００ａｘ上における第１小レンズの光射出面の仮想中心点の像Ｐから射出される光は、図２０（ａ）〜図２０（ｃ）に示すように、回転プリズム７７０が回転すると、回転プリズム７７０の光通過面によって所定の屈折を受ける。その結果、液晶装置４００Ｒ，４００Ｇ，４００Ｂの画像形成領域Ｓにおいては、画面書込み走査に同期して、光照射領域と光非照射領域とが順次スクロールされるようになる。
【０１４２】
このため、実施形態７に係るプロジェクタ１０１２によれば、実施形態１に係るプロジェクタ１０００の場合と同様に、回転プリズム７７０を回転させることにより、液晶装置４００Ｒ，４００Ｇ，４００Ｂの画像形成領域Ｓ上で照明光束Ｌが走査されるようになる。その結果、液晶装置４００Ｒ，４００Ｇ，４００Ｂの画像形成領域Ｓにおける任意の点に着目すれば間欠的に光が遮断されるようになるため、動画表示特性が改善され、優れた動画表示特性を有するようになる。
【０１４３】
このように、実施形態７に係るプロジェクタ１０１２は、実施形態１に係るプロジェクタ１０００とは、回転プリズムの配置位置及び光整形部材の有無という点で異なるが、実施形態１に係るプロジェクタ１０００の場合と同様に、移動遮光部材７０２を備えているため、回転プリズム７７０を一定の回転速度で回転させた場合に発生する照度差が軽減されるようになり、スクリーンＳＣＲ全面でより均一な表示を行うことが可能になる。すなわち、均一な面内表示特性を有するようになる。
【０１４４】
なお、実施形態７に係るプロジェクタ１０１２においては、実施形態１に係るプロジェクタ１０００の場合と同様に、回転状態検出回路の出力信号に基づいて、モータ７２２の駆動を制御して、移動遮光部材７０２の移動を制御するモータ制御回路を備える構成としているが、実施形態５に係るプロジェクタ１００８の場合と同様に、画像処理回路からの同期信号に基づいて、モータ７２２の駆動を制御して、移動遮光部材７０２の移動を制御するモータ制御回路を備える構成としてもよい。
【０１４５】
したがって、実施形態７に係るプロジェクタ１０１２は、回転プリズムの配置位置及び光整形部材の有無以外の点では、実施形態１又は５に係るプロジェクタ１０００，１００８と同様の構成を有するため、実施形態１又は５に係るプロジェクタ１０００，１００８の場合と同様の効果を有する。
【０１４６】
以上、本発明のプロジェクタを上記の各実施形態に基づいて説明したが、本発明は上記の各実施形態に限定されるものではなく、その要旨を逸脱しない範囲において種々の態様において実施することが可能であり、例えば次のような変形も可能である。
【０１４７】
（１）上記各実施形態のプロジェクタ１０００〜１０１２は、移動遮光部材７０２，７０２Ｂとして、光反射型の遮光部材を用いたが、本発明はこれに限定されるものではなく、光吸収型の遮光部材も好ましく用いることができる。
【０１４８】
（２）上記各実施形態のプロジェクタ１０００〜１０１２においては、移動遮光部材７０２，７０２Ｂをｘ軸方向に沿って移動させるための手段として、モータ軸にギア部７２６が配設されたガルバノモータからなるモータ７２２を用いて、移動遮光部材７０２，７０２Ｂの係合部７０６，７０６Ｂとギア部７２６とを係合させてモータ７２２を駆動させることによって、移動遮光部材７０２，７０２Ｂをｘ軸方向に沿って移動させるように構成されたものを例示的に説明したが、本発明はこれに限定されるものではなく、移動遮光部材７０２，７０２Ｂをｘ軸方向に沿って移動させることが可能な公知の手段を用いることが可能である。
【０１４９】
（３）上記実施形態１及び２のプロジェクタ１０００，１００２は、２枚の移動遮光部材７０２，７０２をそれぞれ移動させるために２つのモータ７２２，７２２を用いたが、本発明はこれに限定されるものではなく、１つのモータ７２２を用いて２枚の移動遮光部材７０２，７０２を移動させることも可能である。この場合には、モータ７２２の駆動を２枚の移動遮光部材７０２，７０２に伝達するための公知の駆動伝達手段を用いることが好ましい。
【０１５０】
（４）上記各実施形態のプロジェクタ１０００〜１０１２は、第１レンズアレイ１２０，１２０Ｂの第１小レンズの平面形状としては、「縦寸法：横寸法＝１：４の長方形」のものを用いたが、本発明はこれに限定されるものではなく、例えば、「縦寸法：横寸法＝９：３２の長方形」のものや「縦寸法：横寸法＝３：８の長方形」のものなどをも好ましく用いることができる。
【０１５１】
（５）上記実施形態１〜６のプロジェクタ１０００〜１０１０は、光整形部材７８０として、「ｙ軸方向に沿った縦寸法：ｘ軸方向に沿った横寸法＝１：４の長方形」の平面形状を有する開口部７８２を備えた光整形部材を用いたが、本発明はこれに限定されるものではなく、例えば、「ｙ軸方向に沿った縦寸法：ｘ軸方向に沿った横寸法＝９：３２の長方形」の平面形状を有する開口を備えた光整形部材を用いることもできる。また、第１レンズアレイの第１小レンズが「ｙ軸方向に沿った縦寸法：ｘ軸方向に沿った横寸法＝１：４の長方形」の平面形状以外の他の平面形状を有する小レンズの場合には、その小レンズの平面形状に相似する平面形状を有する開口を備えた光整形部材を用いることもできる。
【０１５２】
（６）上記各実施形態のプロジェクタ１０００〜１０１２は、光源装置１１０として、楕円面リフレクタ１１４と、楕円面リフレクタ１１４の第１焦点近傍に発光中心を有する発光管１１２と、平行化レンズ１１８とを有する光源装置を用いたが、本発明はこれに限定されるものではなく、放物面リフレクタと、放物面リフレクタの焦点近傍に発光中心を有する発光管とを有する光源装置をも好ましく用いることができる。
【０１５３】
（７）上記各実施形態のプロジェクタ１０００〜１０１２は、光源装置１１０として、発光管１１２に補助ミラー１１６が配設された光源装置を用いたが、本発明はこれに限定されるものではなく、発光管に補助ミラーが配設されていない光源装置をも好ましく用いることができる。
【０１５４】
（８）上記各実施形態において、３つの液晶装置４００Ｒ，４００Ｇ，４００Ｂを用いたプロジェクタを例示して説明したが、本発明はこれに限定されるものではなく、１つ、２つ又は４つ以上の液晶装置を用いたプロジェクタにも適用可能である。
【０１５５】
（９）上記各実施形態のプロジェクタ１０００〜１０１２は、電気光学変調装置として液晶装置を用いているが、本発明はこれに限定されるものではない。電気光学変調装置としては、一般に、画像情報に応じて入射光を変調するものであればよく、マイクロミラー型光変調装置などを利用してもよい。マイクロミラー型光変調装置としては、例えば、ＤＭＤ（デジタルマイクロミラーデバイス）（ＴＩ社の商標）を用いることができる。
【０１５６】
（１０）本発明は、投写画像を観察する側から投写するフロント投写型プロジェクタに適用する場合にも、投写画像を観察する側とは反対の側から投写するリア投写型プロジェクタに適用する場合にも可能である。
【図面の簡単な説明】
【０１５７】
【図１】実施形態１に係るプロジェクタ１０００を説明するために示す図。
【図２】偏光変換素子１４０を説明するために示す図。
【図３】回転プリズム７７０の回転と液晶装置４００Ｒ,４００Ｇ,４００Ｂ上の照明状態との関係を示す図。
【図４】移動遮光部材７０２の効果を説明するために示す図。
【図５】移動遮光部材７０２の効果を説明するために示す図。
【図６】移動遮光部材７０２の効果を説明するために示す図。
【図７】移動遮光部材７０２の効果を説明するために示す図。
【図８】移動遮光部材７０２の効果を説明するために示す図。
【図９】実施形態１に係るプロジェクタ１０００における移動遮光部材７０２を説明するために示すブロック図。
【図１０】実施形態２に係るプロジェクタ１００２を説明するために示す図。
【図１１】実施形態２における移動遮光部材７０２の移動動作を説明するために示す図。
【図１２】実施形態３に係るプロジェクタ１００４を説明するために示す図。
【図１３】移動遮光部材保持装置７００Ｂ及び固定遮光部材７４０Ｂを説明するために示す図。
【図１４】実施形態３における移動遮光部材７０２Ｂの移動動作を説明するために示す図。
【図１５】実施形態４に係るプロジェクタ１００６を説明するために示す図。
【図１６】実施形態４における移動遮光部材７０２Ｂの移動動作を説明するために示す図。
【図１７】実施形態５に係るプロジェクタ１００８を説明するために示す図。
【図１８】実施形態６に係るプロジェクタ１０１０の光学系を示す図。
【図１９】実施形態７に係るプロジェクタ１０１２の光学系を示す図。
【図２０】回転プリズム７７０の回転と液晶装置４００Ｒ，４００Ｇ，４００Ｂ上の照明状態との関係を示す図。
【図２１】従来のプロジェクタ９００を説明するために示す図。
【図２２】従来のプロジェクタ９００における回転プリズム９６０の回転速度を示す図。
【符号の説明】
【０１５８】
１００，１００Ｂ…照明装置、１００ａｘ，１００Ｂａｘ…照明光軸、１１０，９１０…光源装置、１１２，９１２…発光管、１１４，９１４…楕円面リフレクタ、１１６…補助ミラー、１１８…平行化レンズ、１２０，１２０Ｂ，９２０…第１レンズアレイ、１２２…第１小レンズ、１３０，１３０Ｂ，９３０…第２レンズアレイ、１４０，１４０Ｂ…偏光変換素子、１４２…偏光分離層、１４４…反射層、１４６…位相差板、１５０，１５０Ｂ，９５０…重畳レンズ、１７６Ｒ，１７６Ｇ，１９８，２４４，２４６，２４８，７９０，７９２，９５２…フィールドレンズ、１９０…ダブルリレー光学系、１９１，１９２，１９４，１９５，１９７，２４０，２４２，７９４…リレーレンズ、１９３，１９６，２１２，２１６，２１８，２２０，２２２，２６４…反射ミラー、２００，２０２…色分離導光光学系、２１０，２１４，２６０，２６２…ダイクロイックミラー、４００Ｒ，４００Ｇ，４００Ｂ，９７０…液晶装置、５００…クロスダイクロイックプリズム、６００，９８０…投写光学系、７００，７００Ｂ…移動遮光部材保持装置、７０２，７０２Ｂ…移動遮光部材、７０４，７０４Ｂ…（移動遮光部材の）開口部、７０６，７０６Ｂ…係合部、７１０…保持部材、７１２…柱状部、７１４…梁部、７２２…モータ、７２４…モータ制御回路、７２６…ギア部、７４０，７４０Ｂ…固定遮光部材、７４２，７４２Ｂ…（固定遮光部材の）開口部、７５０…回転状態検知センサ、７５２…回転状態検出回路、７６０，７６２…画像処理回路、７７０，９６０…回転プリズム、７７２…回転軸、７７４…回転プリズム用モータ、７７６…回転プリズム用モータ駆動回路、７８０…光整形部材、７８２…（光整形部材の）開口部、９００，１０００，１００４，１００６，１００８…プロジェクタ、Ｌ…照明光束が照射される領域、Ｐ…照明光軸上における第１小レンズの仮想中心点の像、Ｓ…画像形成領域、ＳＣＲ…スクリーン
【図４】
2006259504.tif 000003
【図８】
2006259504.tif 000004
【図９】
2006259504.tif 000005
【図１０】
2006259504.tif 000006
【図１２】
2006259504.tif 000007
【図１５】
2006259504.tif 000008
【図１７】
2006259504.tif 000009
【図１８】
2006259504.tif 000010
【図１９】
2006259504.tif 000011
【図２１】
2006259504.tif 000012
【図２２】
2006259504.tif 000013
【図１】
2006259504.tif 000014
【図２】
2006259504.tif 000015
【図３】
2006259504.tif 000016
【図５】
2006259504.tif 000017
【図６】
2006259504.tif 000018
【図７】
2006259504.tif 000019
【図１１】
2006259504.tif 000020
【図１３】
2006259504.tif 000021
【図１４】
2006259504.tif 000022
【図１６】
2006259504.tif 000023
【図２０】
2006259504.tif 000024